(57)【要約】【課題】筋交いを３次元の空間内であらゆる方向に動かすことができ、筋交いの取付角度を自在に設定できる筋交い取付具を提供する。【解決手段】筋交い取付具１は、構造材１０，１１に固定されるベース材５と、ヘッド部２０及び軸部２１を備え、軸部２１に筋交いが固定されるボールスタッド２と、ヘッド部２０を回転可能に収容するボールシート４と、ベース材５に固定するための固定部を有し、ヘッド部２０をボールシート４を介して内部に保持して開口３０から軸部２１を揺動自在に突出させる筒状のソケット３と、を備える。【選択図】図１
2016089451.tif 000002
【特許請求の範囲】
【請求項１】
構造物の構造材と構造材との間を斜めに延びる筋交いを取り付けるための筋交い取付具であって、
構造材に固定されるベース材と、
外周面の少なくとも一部が球面状のヘッド部及び前記ヘッド部から突き出るように設けられる軸部を備え、前記軸部に筋交いが固定されるボールスタッドと、
前記ヘッド部を回転可能に収容するボールシートと、
前記ベース材に固定され、一端に前記ヘッド部より小径に形成された開口を有し、前記ヘッド部を前記ボールシートを介して内部に保持して前記開口から前記軸部を揺動自在に突出させる筒状のソケットと、を備える筋交い取付具。
【請求項２】
前記ベース材は、直交する構造材の角部に配備され、
各構造材にそれぞれ固定される固定部と、前記固定部同士を連結し前記固定手段が固定される取付部とを備える請求項１に記載の筋交い取付具。
【発明の詳細な説明】
【技術分野】
【０００１】
本発明は、建築物などの構造物に用いられる筋交いを構造物に取り付けるための筋交い取付具に関する。
【背景技術】
【０００２】
建築物などの構造物においては、横方向の振動に対する強度を高めるために、上下の水平な構造材（例えば梁材及び基礎材）と左右一対の鉛直な構造材（例えば柱材）とで形成される枠内に、対角線上に延びるように筋交いが設けられている。また、前後に間隔をあけて隣接配置される枠の間の空間内にも、体対角線上に延びるように筋交い（いわゆる雲筋交い）が設けられる。
【０００３】
筋交いは、水平な構造材と鉛直な構造材との間の角部に固定される取付具に両端が固定されることで、上記枠や上記空間を斜めに延びている（例えば特許文献１を参照）。
【先行技術文献】
【特許文献】
【０００４】
【特許文献１】特開２０１１−１４９１４３号公報
【発明の概要】
【発明が解決しようとする課題】
【０００５】
従来の取付具は、図２０に示すように、一つの軸Ｓ周りに筋交いを回転させることができる、つまりは、矢印ＸＹ方向の２次元の平面内で筋交いを動かすことができるものであった。しかし、上記枠内に設けられる筋交いと上記空間内に設けられる筋交い（雲筋交い）とでは、水平な構造材１０１と鉛直な構造材１０２との間の角部から延びる方向が異なる。そのため、図２０のような筋交いを２次元の平面内でしか動かすことができない取付具１００では、筋交いを延ばす方向（筋交いの取付角度）に応じて取付具１００の形状を変えたりする必要があり、その分だけ、筋交いを取り付けるための時間が余計にかかるうえ、コストも増大する。
【０００６】
本発明は、上記した課題に着目してなされたもので、筋交いを３次元の空間内であらゆる方向に動かすことができ、筋交いの取付角度を自在に設定できる筋交い取付具を提供することを目的とする。
【課題を解決するための手段】
【０００７】
本発明の前記目的は、構造物の構造材と構造材との間を斜めに延びる筋交いを取り付けるための筋交い取付具であって、構造材に固定されるベース材と、外周面の少なくとも一部が球面状のヘッド部及び前記ヘッド部から突き出るように設けられる軸部を備え、前記軸部に筋交いが固定されるボールスタッドと、前記ヘッド部を回転可能に収容するボールシートと、前記ベース材に固定され、一端に前記ヘッド部より小径に形成された開口を有し、前記ヘッド部を前記ボールシートを介して内部に保持して前記開口から前記軸部を揺動自在に突出させる筒状のソケットと、を備える筋交い取付具により達成される。
【０００８】
上記構成の筋交い取付具において、前記ベース材は、直交する構造材の角部に配備され、各構造材にそれぞれ固定される固定部と、前記固定部同士を連結し前記固定手段が固定される取付部とを備えることが好ましい。
【発明の効果】
【０００９】
本発明の筋交い取付具によると、筋交いを３次元の空間内であらゆる方向に動かすことができ、筋交いの取付角度（向き）を自在に設定できる。
【図面の簡単な説明】
【００１０】
【図１】本発明の一実施形態に係る筋交い取付具が構造物の構造材に取り付けられた状態の要部の正面図である。
【図２】ベース部材を除いた筋交い取付具の正面図である。
【図３】図２の背面図である。
【図４】図２の上面図である。
【図５】図２の底面図である。
【図６】図２の断面図である。
【図７】ベース材の正面図である。
【図８】図７の右側面図である。
【図９】ボールスタッドの正面図である。
【図１０】図９の上面図である。
【図１１】図９の底面図である。
【図１２】ソケットの断面図である。
【図１３】ボールシートの正面図である。
【図１４】図１３の上面図である。
【図１５】図１３の底面図である。
【図１６】図１４のＡ−Ａ線に沿う断面図である。
【図１７】図１４のＢ−Ｂ線に沿う断面図である。
【図１８】筋交い取付具の動作を示す正面図である。
【図１９】筋交い取付具の動作を示す正面図である。
【図２０】従来例の筋交い取付具が構造物の構造材に取り付けられた状態の要部の正面図である。
【００１１】
以下、本発明の実施形態について添付図面を参照して説明する。図１は、本発明の一実施形態に係る筋交い取付具１が構造物の構造材１０，１１に取り付けられた状態を示す。この筋交い取付具１は、建築物などの構造物に筋交いを取り付けるためのものである。例えば、筋交いは、構造物において、横方向の振動に対する強度を高めるために、上下の水平な構造材（例えば梁材及び基礎材）と左右一対の鉛直な構造材（例えば柱材）とで形成される枠内に、対角線上に延びるように設けられている。また、前後に間隔をあけて隣接配置される枠の間の空間内にも、体対角線上に延びるように設けられる（いわゆる雲筋交い）。
【００１２】
筋交い取付具１は、筋交いが固定されるボールスタッド２と、筒状のソケット３と、ボールスタッド２のヘッド部２０を回転可能に収容した状態でソケット３内に保持されるボールシート４とを備えている（図２〜図６を参照）。さらに、筋交い取付具１は、構造材１０，１１に固定されるベース材５を備えている（図７及び図８を参照）。
【００１３】
ボールスタッド２は、図９〜図１１にも示すように、鉄や鋼鉄の他、非鉄金属などの金属材料により形成されており、略球形状のヘッド部２０と、ヘッド部２０から突き出るように設けられる軸部２１とを備えている。軸部２１は、筋交いが固定される部分であり、本実施形態では丸棒状に形成され、先端部分（ヘッド部２０とは反対側の部分）が外周面に雄ネジが形成されたボルト部２２となっている。
【００１４】
ヘッド部２０は、外周面の少なくとも一部が断面視で円弧状に湾曲する球面状に形成されており、この球面状の部分がボールシート４（ソケット３）内で滑らかに転動することで、回転可能となっている。
【００１５】
ソケット３は、図２〜図６に示すように、軸方向一端（図示では上端）に開口３０が形成された有底略円筒状の部材であり、鉄や鋼鉄の他、非鉄金属などの金属材料により形成されている。ソケット３の開口３０の径は、ボールスタッド２のヘッド部２０の径よりも小さく、ヘッド部２０がソケット３の外部に抜け出るのが防止されており、ヘッド部２０はボールシート４を介してソケット３内に回転可能に保持されている。ボールスタッド２の軸部２１は、ソケット３の一端側の開口３０から外部に上下、左右、斜めのいずれの方向にも揺動自在に突出している。
【００１６】
ソケット３は、本実施形態では、図１２に示すような、周壁部３１の先端が真っ直ぐ延びていて、開口３０がボールシート４ヘッド部２０の径よりも大きい状態のものが準備される。そして、この開口３０からボールシート４ヘッド部２０をボールシート４とともに挿入し、その後、周壁部３１の先端側を内側に折り曲げてかしめ変形させることにより、ヘッド部２０をソケット３内に抜け出ることなく保持可能となっている。また、ソケット３の周壁部３１の先端側を内側にかしめ変形させることにより、周壁部３１に押されてボールシート４がボールスタッド２のヘッド部２０に密着する。これにより、ソケット３内でボールスタッド２のヘッド部２０ががたつくことが防止されるとともに、ヘッド部２０とボールシート４との間の摩擦により、ヘッド部２０が容易にはソケット３内で回転することが抑制されている。
【００１７】
ソケット３の他端（図示では下端）の底面部３２には、中央位置に、外周面に雄ネジが形成された略円柱状のボルト部３３が設けられている。このボルト部３２は、ソケット３をベース材５に固定するための固定手段を構成している。図１に示すように、このボルト部３３を、後述するベース材５の取付部５０のボルト挿入口５２に挿入し、ナット５３により締め付けて取付部５０に固定することで、ソケット３がベース材５に固定される。
【００１８】
ボールシート４は、図１３〜図１７にも示すように、ボールスタッド２のヘッド部２０を内部に収容し、ヘッド部２０がボールシート４の内周面を摺動しながら回転自在に保持する合成樹脂製の部材であり、よって、ボールシート４の内周面は、ヘッド部２０の外周面の球面に沿った球面状に形成されている。なお、ボールシート４の内周面には、ボールスタッド２のヘッド部２０の外周面との間に潤滑剤（グリース）が介在されている。
【００１９】
ボールシート４は、一端（図示では上端）が開口した有底略円筒状に形成されている。ボールシート４の一端の開口４０は、ボールスタッド２のヘッド部２０を挿入するためのものであるが、ヘッド部２０の径よりも小さい径に形成されている。ボールシート４の周壁部４２には、開口４０側の先端から底面部４１に向けて延びるスリット４３が周方向に間隔をあけて複数形成されており、周壁部４２の先端が外側に開いて開口４０が拡径することで、ボールスタッド２のヘッド部２０を開口４０からボールシート４内に挿入可能となっている。なお、ボールシート４の周壁部４２は、底面部４１側に比べて開口４０側の方が厚みが薄く形成されている。これにより、周壁部４１の先端側が変形しやすくなっている。
【００２０】
また、ボールシート４の周壁部４２は、ソケット３のボールシート４を収容する内部空間の形状に応じて、その底面部４１側の端部（図示では下端部）が、底面部４１にいくにしたがって先細りとなる形状に形成されている。これにより、上述したように、ソケット３の周壁部３１の先端側を内側にかしめ変形させたときに、ボールシート４をソケット３の内周面に均等に密着させることができ、ボールシート４のソケット３内でのがたつきを良好に防止することができる。なお、ボールシート４の周壁部４２の下端部の斜面の勾配は４５度が好ましい。また、ボールシート４の底面部４１の中心位置には、貫通孔４４が形成されている。この貫通孔４４は、グリース溜まりをなす。つまり、ボールシート４の内周面にグリースを塗布してから、ボールスタッド２のヘッド部２０をボールシート４内にはめ込むとき、余分なグリースがこの貫通孔４４の部分に貯留される。これにより、グリースの不足が防止され、ボールスタッド２のヘッド部２０をボールシート４内で円滑に回転させることができる。
【００２１】
ベース材５は、図７及び図８にも示すように、本実施形態では、平坦な取付部５０と、取付部５０の両側縁から斜め上方に延びる一対の平坦な固定部５１とを備えている。このベース材５は、板状の鋼材の両側部分を折り曲げることで形成されている。
【００２２】
ベース材５の各固定部５１には、それぞれ、ネジ挿入孔５４が少なくとも１つ（図示例では３つ）形成されている。ベース材５は、各固定部５１が直交する構造材１０，１１（例えば構造物の骨組みをなす梁材及び基礎材と柱材）上に載置され、ネジ挿入孔５４を介して構造材１０，１１にネジ５５をねじ込むことにより、各固定部５１が構造材１０，１１に固定されることで、直交する構造材１０，１１の角部に配備される。
【００２３】
ベース材５の取付部５０には、ソケット３が取り付けられる。取付部５０の中心位置には、ソケット３を取り付けるためのボルト挿入孔５２が形成されている。
【００２４】
上記構成の筋交い取付具１は、ボールスタッド２のヘッド部２０がソケット３内で自在に回転するので、図１８（ａ）及び（ｂ）に示すように、ボールスタッド２の軸部２１を上下方向に揺動させることができるうえ、図１９（ａ）及び（ｂ）に示すような左右方向、さらには図示は省略するが斜め方向にも揺動させることができ、軸部２１を３次元の空間内であらゆる方向に動かすことができる。よって、軸部２１に取り付けられた筋交いを、３次元の空間内であらゆる方向に延ばすことができる。
【００２５】
このように、本実施形態の筋交い取付具１によると、筋交いを３次元の空間内であらゆる方向に動かすことができ、筋交いの取付角度（向き）を自在に設定できる。よって、上下の水平な構造材（例えば梁材及び基礎材）と左右一対の鉛直な構造材（例えば柱材）とで形成される枠内に、対角線上に延びるように筋交いを設けることができるうえ、前後に間隔をあけて隣接配置される枠の間の空間内にも、体対角線上に延びるように筋交い（いわゆる雲筋交い）を設けることもできるので、筋交いを延ばす方向（筋交いの取付角度（向き））に応じて取付具を作製する必要がなく、筋交いを設置するためのコストを低減できる。
【００２６】
以上、本発明の一実施形態について説明したが、本発明は上記実施形態に限定されるものではなく、本発明の趣旨を逸脱しない限りにおいて種々の変更が可能である。例えば、上記実施形態では、ソケット３とベース材５とをボルトで固定しているが、ボルトを用いた固定方法に限らず、例えば、固定金具を用いた固定方法や、溶接などの固定方法を採用することも可能である。ただし、施工コストや材料コストを考慮すると、ボルトを用いた固定方法を採用するほうが好ましい。また、ベース材５の形状も、ソケット３を構造材１０，１１に固定できるのであれば、種々の形状とすることができる。
【００２７】
また、ボールスタッド２及びソケット３には、ソケット３の上部及びソケット３内に収容されるボールスタッド２のヘッド部２０を覆うように、ソケット３内への防塵、防水を目的として、ダストカバーを設けるようにしてもよい。ダストカバーは、例えば、弾性変形可能なゴム材又は軟質の合成樹脂材などによって構成される。
【符号の説明】
【００２８】
１    筋交い取付具
２    ボールスタッド
３    ソケット
４    ボールシート
５    ベース材
２０  ヘッド部
２１  軸部
３０  開口
５０  取付部
５１  固定部
【図１】
2016089451.tif 000003
【図２】
2016089451.tif 000004
【図３】
2016089451.tif 000005
【図４】
2016089451.tif 000006
【図５】
2016089451.tif 000007
【図６】
2016089451.tif 000008
【図７】
2016089451.tif 000009
【図８】
2016089451.tif 000010
【図９】
2016089451.tif 000011
【図１０】
2016089451.tif 000012
【図１１】
2016089451.tif 000013
【図１２】
2016089451.tif 000014
【図１３】
2016089451.tif 000015
【図１４】
2016089451.tif 000016
【図１５】
2016089451.tif 000017
【図１６】
2016089451.tif 000018
【図１７】
2016089451.tif 000019
【図１８】
2016089451.tif 000020
【図１９】
2016089451.tif 000021
【図２０】
2016089451.tif 000022